(57)【要約】【課題】本発明は、ネットワークに接続されている画像形成装置における省電力効果を効率的に向上させる。【解決手段】画像形成システム１は、画像形成装置Ｇｋ１〜Ｇｋｎが、省電力モード時に、ネットワークＮＷを介してホスト装置Ｈｓ１〜Ｈｓｍから送られてくる待機許容時間の付与されている印刷ジョブを、ネットワークＩ／Ｆ３６で受信すると、ジョブ管理部５１が該印刷ジョブをハードディスクに蓄積する。ジョブ管理部５１は、印刷ジョブの待機許容時間が経過するまで、省電力モードを継続して、その間に送られてくる印刷ジョブを順次ハードディスクに蓄積する。ジョブ管理部５１は、蓄積された印刷ジョブ数が下限待機ジョブ数以上となって、待機許容時間の経過した印刷ジョブがあると、通常電力モードに切り替えて、ハードディスクの全ての印刷ジョブを印刷実行部５４で実行させる。【選択図】          図１
2014151485.tif 000002
【特許請求の範囲】
【請求項１】
印刷ジョブを保管するジョブ保管手段と、
印刷ジョブに基づいて画像形成する画像形成手段と、
前記画像形成手段による画像形成が可能な通常電力モードと該通常電力モードよりも消費電力の少ない省電力モードとを切り替える電力モード切替手段と、
ネットワークに接続され前記省電力モードにおいても該ネットワーク上のホスト装置と通信を行って、画像形成されるまでの待機許容時間の付与された印刷ジョブを該ホスト装置から受信する通信手段と、
前記省電力モード時に前記通信手段が印刷ジョブを受信すると、該印刷ジョブを前記ジョブ保管手段に保管し、保管されている該印刷ジョブの前記待機許容時間を判定して、該待機許容時間が経過している印刷ジョブがあると、前記電力モード切替手段に前記通常電力モードに切り替えさせ、該ジョブ保管手段の保管する全ての印刷ジョブに基づく画像形成を前記画像形成手段に行わせるジョブ管理手段と、
を備えていることを特徴とする画像形成装置。
【請求項２】
前記画像形成装置は、
前記省電力モード時に受信して未実行の状態で待機させておくべき最小限の印刷ジョブ数を下限待機ジョブ数として記憶するジョブ数記憶手段を備え、
前記ジョブ管理手段は、
前記ジョブ保管手段の保管する印刷ジョブ数が前記下限待機ジョブ数以上になると、前記待機許容時間を判定して、該待機許容時間が経過している印刷ジョブがあると、前記電力モード切替手段に前記通常電力モードに切り換えさせ、該ジョブ保管手段の保管する全ての印刷ジョブに基づく画像形成を前記画像形成手段に実行させることを特徴とする請求項１記載の画像形成装置。
【請求項３】
前記画像形成装置は、
前記待機許容時間として許可する最も短い下限待機許容時間を記憶する時間記憶手段を備え、
前記ジョブ管理手段は、
前記下限待機許容時間よりも短い前記待機許容時間の付与されている前記印刷ジョブの受付を拒否することを特徴とする請求項１または請求項２記載の画像形成装置。
【請求項４】
前記ジョブ管理手段は、
前記通信手段に前記下限待機許容時間を前記ホスト装置へ送信させることを特徴とする請求項３記載の画像形成装置。
【請求項５】
前記画像形成装置は、
情報を入力する入力手段を備え、
前記ジョブ管理手段は、
前記入力手段から前記下限待機許容時間が入力されると、該下限待機許容時間を前記時間記憶手段に記憶させることを特徴とする請求項３または請求項４記載の画像形成装置。
【請求項６】
前記画像形成装置は、
情報を入力する入力手段を備え、
前記ジョブ管理手段は、
前記入力手段から前記画像形成装置における省電力時間目標値、省電力時間割合目標値、電力使用量目標値のうち、少なくとも１つの目標値が入力されると、該目標値に基づいて前記下限待機許容時間を算出して、前記時間記憶手段に記憶させることを特徴とする請求項３または請求項４記載の画像形成装置。
【請求項７】
前記ジョブ管理手段は、
前記通信手段に、電力モード、待機中の印刷ジョブ数及び印刷ジョブの画像形成が完了した旨の通知を、前記ホスト装置へ送信させることを特徴とする請求項１から請求項６のいずれかに記載の画像形成装置。
【請求項８】
ネットワークに画像形成装置と該画像形成装置に印刷ジョブを送信して印刷要求を行うホスト装置が接続されている画像形成システムにおいて、
前記画像形成装置として請求項１から請求項７のいずれかに記載の画像形成装置が接続されていることを特徴とする画像形成システム。
【請求項９】
印刷ジョブをジョブ保管手段に保管するジョブ保管処理ステップと、
印刷ジョブに基づいて画像形成する画像形成処理ステップと、
前記画像形成処理ステップでの画像形成が可能な通常電力モードと該通常電力モードよりも消費電力の少ない省電力モードとを切り替える電力モード切替処理ステップと、
前記省電力モードにおいてもネットワーク上のホスト装置と通信を行って、画像形成されるまでの待機許容時間の付与された印刷ジョブを該ホスト装置から受信する通信処理ステップと、
前記省電力モード時に前記通信処理ステップで印刷ジョブが受信されると、該印刷ジョブを前記ジョブ保管処理ステップに前記ジョブ保管手段へ保管させ、保管されている該印刷ジョブの前記待機許容時間を判定して、該待機許容時間が経過している印刷ジョブがあると、前記電力モード切替処理ステップで前記通常電力モードに切り替えさせ、該ジョブ保管手段の保管する全ての印刷ジョブに基づく画像形成を前記画像形成処理ステップで実行させるジョブ管理処理ステップと、
を有することを特徴とする画像形成制御方法。
【請求項１０】
制御プロセッサに、
印刷ジョブをジョブ保管手段に保管するジョブ保管処理と、
印刷ジョブに基づいて画像形成する画像形成処理と、
前記画像形成処理での画像形成が可能な通常電力モードと該通常電力モードよりも消費電力の少ない省電力モードとを切り替える電力モード切替処理と、
前記省電力モードにおいてもネットワーク上のホスト装置と通信を行って、画像形成されるまでの待機許容時間の付与された印刷ジョブを該ホスト装置から受信する通信処理と、
前記省電力モード時に前記通信処理で印刷ジョブが受信されると、該印刷ジョブを前記ジョブ保管処理に前記ジョブ保管手段へ保管させ、保管されている該印刷ジョブの前記待機許容時間を判定して、該待機許容時間が経過している印刷ジョブがあると、前記電力モード切替処理で前記通常電力モードに切り替えさせ、該ジョブ保管手段の保管する全ての印刷ジョブに基づく画像形成を前記画像形成処理で実行させるジョブ管理処理と、
を実行させることを特徴とする画像形成制御プログラム。
【発明の詳細な説明】
【技術分野】
【０００１】
本発明は、画像形成装置、画像形成システム、画像形成制御方法及び画像形成制御プログラムに関し、詳細には、ネットワークに接続されている画像形成装置における省電力を向上させつつ効率的に画像形成する画像形成装置、画像形成システム、画像形成制御方法及び画像形成制御プログラムに関する。
【背景技術】
【０００２】
複写装置、ファクシミリ装置、プリンタ装置、複合装置等の画像形成装置は、画像を形成出力するという特性から消費電力の大きい部分を備えている。そして、画像形成装置は、通常、電源の投入後に、使用されずに待機状態となっている時間が多いことから、従来から、消費電力を削減するために、待機状態が予め設定された待ち時間を経過したり、操作表示部で省電力設定キーが操作されると、消費電力を削減する省電力モードに移行する省電力機能を備えている。
【０００３】
一方、近年、画像形成装置においては、ネットワークに接続されて、複数のコンピュータ等のホスト装置から共用されるようになってきている。
【０００４】
また、画像形成装置は、操作表示部の所定のキー操作やネットワークからの印刷要求等の発生を契機として、省電力モードから印刷可能な通常電力モードに復帰する。
【０００５】
近年、このようなネットワークに接続されている画像形成装置における効率的な消費電力の削減が要望されている。
【０００６】
このようなネットワークに接続されている画像形成装置において、従来、外部装置と接続して、データの交換及び画像データを入力する手段と、装置の消費電力を抑えるための省エネ手段と、前記外部装置からのプリント履歴を記憶する記憶手段とを備えたプリンティングシステムにおいて、前記外部装置からのプリント履歴及び統計に応じて、省エネモードからの復帰及び省エネモードに入るタイミングを制御する技術が提案されている（特許文献１参照）。
【０００７】
すなわち、この従来技術は、外部装置からのプリント履歴を記憶して、該外部装置からのプリント履歴及び統計に応じて省電力モードからの復帰及び省電力モードへ入るタイミングを制御して消費電力の削減を図っている。
【発明の概要】
【発明が解決しようとする課題】
【０００８】
しかしながら、上記公報記載の従来技術にあっては、外部装置からのプリント履歴及び統計に応じて省電力モードからの復帰及び省電力モードへ入るタイミングを制御しているのみであるため、省電力効果を向上させる上で、改良の必要があった。すなわち、従来技術では、画像形成装置は、省電力モード時にネットワーク上の外部装置から印刷要求があると、通常電力モードに復帰することとなり、画像形成装置において、外部装置からのプリント履歴に基づいて省電力モードからの復帰や省電力モードへ入るタイミングを制御しても、ネットワークには複数の外部装置が接続されるため、適切かつ効率的な省電力制御を行うことはできず、省電力効果を向上させる上で、改良の必要があった。
【０００９】
そこで、本発明は、ネットワークに接続されている画像形成装置における省電力効果を効率的に向上させることを目的としている。
【課題を解決するための手段】
【００１０】
上記目的を達成するために、請求項１記載の画像形成装置は、印刷ジョブを保管するジョブ保管手段と、印刷ジョブに基づいて画像形成する画像形成手段と、前記画像形成手段による画像形成が可能な通常電力モードと該通常電力モードよりも消費電力の少ない省電力モードとを切り替える電力モード切替手段と、ネットワークに接続され前記省電力モードにおいても該ネットワーク上のホスト装置と通信を行って、画像形成されるまでの待機許容時間の付与された印刷ジョブを該ホスト装置から受信する通信手段と、前記省電力モード時に前記通信手段が印刷ジョブを受信すると、該印刷ジョブを前記ジョブ保管手段に保管し、保管されている該印刷ジョブの前記待機許容時間を判定して、該待機許容時間が経過している印刷ジョブがあると、前記電力モード切替手段に前記通常電力モードに切り替えさせ、該ジョブ保管手段の保管する全ての印刷ジョブに基づく画像形成を前記画像形成手段に行わせるジョブ管理手段と、を備えていることを特徴としている。
【発明の効果】
【００１１】
本発明によれば、ネットワークに接続されている画像形成装置における省電力効果を効率的に向上させることができる。
【図面の簡単な説明】
【００１２】
【図１】本発明の一実施例を適用した画像形成システムの構成図。
【図２】画像形成装置のハードウェアのブロック構成図。
【図３】ホスト装置での印刷先選択画面の一例を示す図。
【図４】印刷ジョブ受信管理処理を示すフローチャート。
【図５】待機印刷ジョブ管理処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図５は、本発明の画像形成装置、画像形成システム、画像形成制御方法及び画像形成制御プログラムの一実施例を示す図であり、図１は、本発明の画像形成装置、画像形成システム、画像形成制御方法及び画像形成制御プログラムの一実施例を適用した画像形成システム１の構成図である。
【００１５】
図１において、画像形成システム１は、ネットワークＮＷに、複数の画像形成装置Ｇｋ１〜Ｇｋｎと複数のホスト装置Ｈｓ１〜Ｈｓｍが接続されている。ネットワークＮＷとしては、例えば、イーサネット（登録商標）等のＬＡＮ（Local Area Network）が用いられている。
【００１６】
ホスト装置Ｈｓ１〜Ｈｓｍは、例えば、通常のハードウェア構成を有するとともに、通常のソフトウェア構成を有するコンピュータ等が用いられ、ハードディスク等に、Windows（登録商標）等のＯＳ（Operating System）及び文書作成ソフトウェア、図形作成ソフトウェア、表計算ソフトウェア、データベースソフトウェア、プリンタドライバ等のアプリケーションフトウェア（以下、単に、アプリケーションという。）が格納されている。
【００１７】
特に、ホスト装置Ｈｓ１〜Ｈｓｍは、ディスプレイ１１、ジョブ投入部１２及びネットワーク通信部１３等を備えているとともに、図示しないが、キーボード、マウス等の入力デバイス等を備えている。ホスト装置Ｈｓ１〜Ｈｓｍは、ユーザによって、アプリケーションを利用して、文書の作成・編集等が行われ、該文書に対してアプリケーション等から印刷指示が行われる。
【００１８】
ジョブ投入部１２は、文書作成ソフトウェアや図形作成ソフトウェア等のアプリケーションによって作成・編集等の行われた文書データに対してキーボードやマウス等の入力デバイスを使用してユーザによって印刷指示されると、ＯＳを通してプリンタドライバに文書データと印刷設定情報を渡し、プリンタドライバが、アプリケーションから受け取った文書データを、当該文書データの印刷を行う画像形成装置Ｇｋ１〜Ｇｋｎが解釈できる印刷データを作成するとともに、印刷設定情報を組み込んだ印刷ジョブを生成して、ネットワーク通信部１３に渡す。ジョブ投入部１２は、印刷設定において、省電力モード時には該印刷ジョブの実行を待機させる待機許容時間の指定、複数の画像形成装置Ｇｋ１〜Ｇｋｎから印刷先として指定する印刷先指定等の指定を行うことができる。
【００１９】
ネットワーク通信部１３は、ジョブ投入部１２から渡された印刷ジョブを、ネットワークＮＷを介して画像形成装置Ｇｋ１〜Ｇｋｎに送信する。
【００２０】
画像形成装置Ｇｋ１〜Ｇｋｎは、プリンタ装置、ファクシミリ装置、複写装置、複合装置等が用いられ、図２に示すように、ハードウェア構成されており、コントローラ２１、プリンタエンジン２２、オペレーションパネル２３及び外部記憶装置２４等を備えている。
【００２１】
コントローラ２１は、ＣＰＵ（Central Processing Unit ）３１、プログラムＲＯＭ（Read Only Memory）３２、ＲＡＭ（Random Access Memory）３３、ＮＶＲＡＭ（Non-Volatile Random Access Memory）３４、ハードディスク（ＨＤＤ）３５、ネットワークＩ／Ｆ（インターフェイス）３６、エンジンＩ／Ｆ３７、パネルＩ／Ｆ３８及び外部Ｉ／Ｆ３９等を備えていて、各部は、バス４０で接続されている。なお、コントローラ２１は、図示しないが、現在時刻を計時する計時部を備えており、後述するように、この計時部の計時する現在時刻及びタイマ機能を利用して印刷ジョブの実行管理を行う。
【００２２】
また、画像形成装置Ｇｋ１〜Ｇｋｎは、画像形成動作等の通常動作可能な通常電力モードと該通常電力モードよりも消費電力の少ない省電力モードとを切り替えるモード切替機能を有しており、図示しない商用電源を整流・変圧して画像形成装置Ｇｋ１〜Ｇｋｎの各部に電源電力を供給する電源部からの該電源電力の供給／供給停止を制御する電源制御部を備えている。ＣＰＵ３１は、この電源制御部の動作を制御することで、電力モードを通常電力モードと省電力モードに切替制御する。
【００２３】
ネットワークＩ／Ｆ（通信手段）３６には、上記ネットワークＮＷを介してホスト装置Ｈｓ１〜ＨＳｍが接続されており、ネットワークＩ／Ｆ３６は、ホスト装置Ｈｓ１〜ＨＳｍから送信されてくる制御信号及びデータ（印刷データ等）等からなる印刷ジョブを受け取るとともに、画像形成装置Ｇｋ１〜Ｇｋｎからホスト装置Ｈｓ１〜ＨＳｍに送信するステータス信号等の送り出しを行うインターフェイスである。特に、ネットワークＩ／Ｆ３６は、ホスト装置Ｈｓ１〜Ｈｓｍから待機許容時間の付与された印刷ジョブを受信し、該印刷ジョブの完了通知をホスト装置Ｈｓ１〜Ｈｓｍに送信する。
【００２４】
プログラムＲＯＭ３２は、コントローラ２１内でのデータの処理や管理及び周辺モジュールを制御するためのプログラム、具体的には、画像形成装置Ｇｋ１〜Ｇｋｎとしての基本処理プログラム及び本発明の省電力時における印刷ジョブの実行制御を行う画像形成制御方法を実行する画像形成制御プログラム等の各種プログラムを格納しているとともに、これらの各プログラムを実行するのに必要な各種データを格納している。
【００２５】
ＣＰＵ（電力モード切替手段、ジョブ管理手段）３１は、プログラムＲＯＭ３２に格納されているプログラムに基づいて、ＲＡＭ３３をワークメモリとして利用しつつ、画像形成装置Ｇｋ１〜Ｇｋｎの各部を制御して、印刷処理を行うとともに、後述する画像形成制御方法を実行する。
【００２６】
ＲＡＭ３３は、ＣＰＵ３１のワークメモリとして利用されるとともに、ホスト装置Ｈｓ１〜ＨＳｍからの印刷データをページ単位に管理して一時記憶するバッファ及びバッファに記憶されたデータを実際の印刷に適した描画データに変換して展開されるビットマップメモリ等として利用される。ＲＡＭ３３は、この印刷データまたは印刷データから変換された描画データ、あるいは、中間データを、複数ページ分蓄積する容量を有している。
【００２７】
ＮＶＲＡＭ（ジョブ枢機奥手段、時間記憶手段）３４は、画像形成装置Ｇｋ１〜Ｇｋｎの電源が切られているときにも記憶内容を保持するメモリであり、画像形成装置Ｇｋ１〜Ｇｋｎの電源がオフの際にも保持する必要のあるデータ、特に、後述する画像形成制御処理で必要な各種データ、例えば、オペレーションパネル２３で設定された下限待機許容時間、下限待機ジョブ数、システム設定値、印刷枚数カウント値、印刷設定及びプリンタエンジン２２のエンジン特性を示すエンジン特性パラメータ（赤みが濃い等）等の各種設定情報がＣＰＵ３１の制御下で格納される。
【００２８】
ハードディスク（ジョブ保管手段）３５は、展開された印刷データやホスト装置Ｈｓ１〜ＨＳｍから送られてきた印刷ジョブ等のデータをＣＰＵ３１の制御下で蓄積し、また、読み出される。特に、ハードディスク３５は、ホスト装置Ｈｓ１〜ＨＳｍから送られてきた待機許容時間の付与された印刷ジョブ及びその他の印刷ジョブ等を格納する。
【００２９】
エンジンＩ／Ｆ３７には、プリンタエンジン２２が接続されており、エンジンＩ／Ｆ３７は、コントローラ２１からプリンタエンジン２２への制御信号や描画データ及びプリンタエンジン２２からコントローラ２１へのステータス信号の授受を行う。
【００３０】
プリンタエンジン（画像形成手段）２２は、例えば、電子写真式プリンタ、インクジェットプリンタ等のプリンタエンジンが使用されており、ホスト装置Ｈｓ１〜ＨＳｍから送られてきてネットワークＩ／Ｆ３６が受信した印刷データから変換されてエンジンＩ／Ｆ３７から渡される描画データ及び制御信号に基づいて、給紙部から送られてくる用紙（画像形成媒体）に画像を印刷出力（画像形成出力）して、印刷済みの用紙を、排紙トレイ上に排出する。すなわち、プリンタエンジン２２は、電子写真方式のエンジンの場合、図示しないが、電子写真方式で用紙に描画データに基づいて印刷処理を行うのに必要な部品、例えば、感光体、帯電部、光書き込み部、現像部、転写部及びクリーニング部等からなる画像形成ユニットを備えており、プリンタエンジン２２がカラープリンタエンジンであるときには、画像形成ユニットをカラー分、例えば、ＣＭＹＫ分だけ備えている。プリンタエンジン２２は、描画データ及び制御信号により光書き込み部を動作させて、帯電部による一様に帯電されている感光体上に静電潜像を形成して、現像部によりトナーを感光体上に供給して現像してトナー画像を形成する。プリンタエンジン２２は、給紙部から用紙を感光体と転写部との間に給紙して、感光体上のトナー画像を転写部によって用紙に転写させ、トナー画像の転写された用紙を定着部に搬送して、定着部で加熱・加圧して用紙上のトナー画像を定着させることで、印刷処理を行う。
【００３１】
パネルＩ／Ｆ３８には、オペレーションパネル２３が接続されており、パネルＩ／Ｆ３８は、ＣＰＵ３１とオペレーションパネル２３との間の信号の授受を行う。
【００３２】
オペレーションパネル（入力手段）２３は、テンキー、スタートキー、モードを選択するモード選択キー等の各種操作キーを備えるとともに、タッチパネル付き液晶ディスプレイ等の表示部を備えている。オペレーションパネル２３は、操作キーのキー操作や表示部のタッチ操作によって、プリント操作等の各種命令、特に、後述する画像形成制御処理で必要な下限待機許容時間、下限待機ジョブ数、省電力時間目標値、省電力時間割合目標値、電力使用量目標値等が入力される。オペレーションパネル２３は、表示部に、操作キーから入力された命令内容や画像形成装置Ｇｋ１〜Ｇｋｎからユーザに通知する各種情報及び処理対象の画像等を表示する。
【００３３】
外部Ｉ／Ｆ３９には、可搬性を有する外部記憶装置２４が着脱可能に装着され、外部記憶装置２４としては、例えば、ＵＳＢ（Universal Serial Bus）メモリ、メモリカード（例えば、ＳＤメモリカード等）、フロッピィディスク（登録商標）等が挿入される。外部Ｉ／Ｆ３９は、ＣＰＵ３１の制御下で、外部記憶装置２４をドライブして、外部記憶装置２４に記憶されているデータの読み出し及び外部記憶装置２４へのデータの書き込みを行う。この外部Ｉ／Ｆ３９は、外部記憶装置２４の外部Ｉ／Ｆ３９への挿入及び取り出しを自動検出し、検出結果をＣＰＵ３１に出力する。
【００３４】
そして、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像形成制御方法を実行する画像形成制御プログラムを読み込んでプログラムＲＯＭ３２、ハードディスク３５等に導入することで、後述する待機許容時間指定印刷ジョブを効率的に実行して消費電力を削減する画像形成制御方法を実行する画像形成装置Ｇｋ１〜Ｇｋｎとして構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３５】
画像形成装置Ｇｋ１〜Ｇｋｎは、上記画像形成制御プログラムが導入されて実行されることで、図１に示したような機能ブロックが構築される。すなわち、画像形成装置Ｇｋ１〜Ｇｋｎは、画像形成制御プログラムが導入されることで、ジョブ管理部５１、ネットワーク通信部５２、操作パネル部５３及び印刷実行部５４等が構築される。
【００３６】
ジョブ管理部５１は、上記ＣＰＵ３１、プログラムＲＯＭ３２、ＲＡＭ３３、ＮＶＲＡＭ３４及びハードディスク３５等で構築され、上記ジョブ保管手段、電力モード切替手段、ジョブ管理手段として機能する。
【００３７】
すなわち、ジョブ管理部５１は、上記電力制御部を制御して、画像形成装置Ｇｋ１〜Ｇｋｎの電力モードを通常電力モードと省電力モードとに切替制御する。なお、画像形成装置Ｇｋ１〜Ｇｋｎの省電力モードにおいては、少なくともネットワーク通信部５２とジョブ管理部５１の省電力管理を行う部分については、電源電力が供給されており、印刷実行部５４へは、電源電力の供給が停止または削減されている。
【００３８】
また、ジョブ管理部５１は、図示しないが、ハードディスク３５等で構築されるジョブ保管部（ジョブ保管手段）を備えており、ネットワーク通信部５２がホスト装置Ｈｓ１〜Ｈｓｍから受信した印刷ジョブを蓄積する。
【００３９】
さらに、ジョブ管理部５１は、省電力モード時に受信した印刷ジョブを、ハードディスク３５に格納し、その印刷ジョブに付与されている待機許容時間と受信した印刷ジョブ数及び予めＮＶＲＡＭ３４に格納されている下限待機ジョブ数と下限待機許容時間に基づいて、該印刷ジョブの実行する時間を管理する。
【００４０】
ネットワーク通信部５２は、上記ネットワークＩ／Ｆ３６によって構築され、ネットワークＮＷを介してホスト装置Ｈｓ１〜Ｈｓｍと通信して印刷ジョブの受信やその他の情報の交換を行うネットワーク通信処理を実行する。
【００４１】
操作パネル部（入力手段）５３は、上記オペレーションパネル２３で構築され、上述のように、待機許容時間と受信した印刷ジョブ数に基づいて該印刷ジョブの実行を制御する画像形成制御処理に必要な各種データの入力が行われ、また、必要な情報を表示出力する。
【００４２】
印刷ジョブ実行部（画像形成手段）５４は、上記プリンタエンジン２２で構築され、ジョブ管理部５１から受け取った印刷ジョブの描画データに基づいてジョブ管理部５１の制御下で、画像を用紙に形成する画像形成処理を実行する。
【００４３】
次に、本実施例の作用について説明する。本実施例の画像形成システム１は、ネットワークＮＷに接続されている画像形成装置Ｇｋ１〜Ｇｋｎにおける省電力効果を効率的に向上させる。
【００４４】
すなわち、画像形成システム１は、ホスト装置Ｈｓ１〜ＨＳｍでユーザが文書を指定して必要な印刷設定を行うと、プリンタドライバが印刷ジョブを作成して画像形成装置Ｇｋ１〜Ｇｋｎに送信して印刷要求を行う。このとき、ユーザが、印刷先の画像形成装置Ｇｋ１〜Ｇｋｎと該印刷先の画像形成装置Ｇｋ１〜Ｇｋｎが省電力モードであるときに該画像形成装置Ｇｋ１〜Ｇｋｎでの該印刷ジョブの待機許容時間の指定を行う。この待機許容時間は、印刷先の画像形成装置Ｇｋ１〜Ｇｋｎに印刷ジョブを送信してから該印刷ジョブが実行されるまでユーザが待つことを許容する限界時間である。したがって、画像形成装置Ｇｋ１〜Ｇｋｎは、省電力モード中に印刷ジョブを受信してからその印刷ジョブで指定されている待機許容時間を経過すると、速やかに通常モードに復帰して、その印刷ジョブを実行する必要がある。
【００４５】
一方、画像形成装置Ｇｋ１〜Ｇｋｎは、上述のように、ジョブ管理部５１が、印刷ジョブを受信しない待機状態で、所定の待ち時間が経過すると、通常電力モードから印刷実行部５４等への供給電力の停止や削減を行って消費電力を削減する省電力モードに移行する。
【００４６】
画像形成装置Ｇｋ１〜Ｇｋｎは、この省電力モードにおいても、ネットワーク通信部５２等の少なくともネットワークＮＷを介してホスト装置Ｈｓ１〜Ｈｓｍからの印刷ジョブの受信を行う部分及びジョブ管理部５１のうち該受信した印刷ジョブを通常電力モードに復帰して実行するまで管理する部分への電力供給を行う。
【００４７】
また、画像形成装置Ｇｋ１〜Ｇｋｎは、上記待機許容時間の下限待機許容時間、すなわち、ホスト装置Ｈｓ１〜Ｈｓｍのユーザが指定することのできる待機許容時間の最短待機許容時間の初期時間である初期下限待機許容時間が、予めＮＶＲＡＭ３４等に格納されている。画像形成装置Ｇｋ１〜Ｇｋｎは、管理者が、この下限待機許容時間を、省電力やユーザの利用性等を考慮して、ネットワークＮＷ上の管理装置または画像形成装置Ｇｋ１〜Ｇｋｎの操作パネル部５３を入力手段として使用して、適宜設定することができる。画像形成装置Ｇｋ１〜Ｇｋｎは、設定された下限待機許容時間を、ＮＶＲＡＭ３４等に記憶する。
【００４８】
また、画像形成装置Ｇｋ１〜Ｇｋｎは、この下限待機許容時間を設定するのに、直接下限待機許容時間を設定するだけでなく、例えば、省電力時間目標値、省電力時間割合目標値、さらには、画像形成装置Ｇｋ１〜Ｇｋｎ全体の電力使用目標値によって下限待機許容時間を設定できるようにしてもよい。この場合、ジョブ管理部５１が、入力された省電力時間目標値、省電力時間割合目標値、電力使用目標値を満たすように、画像形成装置Ｇｋ１〜Ｇｋｎの使用状況に合わせて所定時間間隔で下限待機許容時間を算出して設定する。この下限待機許容時間とその下限待機許容時間の間に蓄積される印刷ジョブ数との関係から、一括して印刷する印刷ジョブ数を想定して、電力削減効果の期待値とすることができる。
【００４９】
そして、各画像形成装置Ｇｋ１〜Ｇｋｎのジョブ管理部５１は、下限待機許容時間を設定すると、適宜のタイミングで、ネットワーク通信部５２からネットワークＮＷを介して下限待機許容時間をホスト装置Ｈｓ１〜Ｈｓｍに提供する。
【００５０】
さらに、画像形成装置Ｇｋ１〜Ｇｋｎは、省電力モードに印刷ジョブを受信すると、予め設定されているジョブ数になるか、待機している印刷ジョブの待機許容時間のうち最も早い待機許容時間の時間がくるまで、全ての印刷ジョブを待機させる。画像形成装置Ｇｋ１〜Ｇｋｎは、この待機させる印刷ジョブ数である待機ジョブ数の最小限の待機ジョブ数である下限待機ジョブ数が設定されており、下限待機ジョブ数の初期値である初期下限待機ジョブ数は、予めＮＶＲＡＭ３４等に設定されている。画像形成装置Ｇｋ１〜Ｇｋｎは、管理者が、省電力やユーザの利用性等を考慮して、ネットワークＮＷ上の管理装置または画像形成装置Ｇｋ１〜Ｇｋｎの操作パネル部５３を使用して、適宜設定することができる。画像形成装置Ｇｋ１〜Ｇｋｎは、設定された下限待機ジョブ数を、ＮＶＲＡＭ３４等に記憶する。
【００５１】
各画像形成装置Ｇｋ１〜Ｇｋｎのジョブ管理部５１は、下限待機ジョブ数を設定すると、適宜のタイミングで、ネットワーク通信部５２からネットワークＮＷを介して下限待機ジョブ数をホスト装置Ｈｓ１〜Ｈｓｍに提供する。
【００５２】
さらに、各画像形成装置Ｇｋ１〜Ｇｋｎのジョブ管理部５１は、上述のように、電力モードを、省電力モードと通常モードに切替制御するが、電力モードを切り替えると、現在の電力モードを、ネットワーク通信部５２からネットワークＮＷを介してホスト装置Ｈｓ１〜Ｈｓｍに通知する。
【００５３】
そして、ホスト装置Ｈｓ１〜Ｈｓｍは、ユーザによって印刷設定が行われる際に、図３に示すような印刷先選択画面を、ディスプレイ１１に表示する。図３の印刷先選択画面では、ネットワークＮＷ上で選択可能な画像形成装置Ｇｋ１〜Ｇｋｎを、その機器名、省電力モードであるか否かの情報（図３で、丸印が省電力モード）及び待機中のジョブ数を表示している。
【００５４】
したがって、ユーザは、印刷先選択画面で、省電力モードであるか否か及び待機中印刷ジョブの数等を参照して、印刷先の画像形成装置Ｇｋ１〜Ｇｋｎを選択することができる。
【００５５】
また、ユーザは、ホスト装置Ｈｓ１〜Ｈｓｍにおいて、上記待機許容時間を設定することができるが、この場合、上述のように、画像形成装置Ｇｋ１〜Ｇｋｎから通知される下限待機許容時間よりも短い時間を設定することができない。なお、図示しないが、ホスト装置Ｈｓ１〜Ｈｓｍは、待機許容時間の設定画面に下限待機許容時間を表示し、ユーザが待機許容時間を設定する際の参考にできるようにしてもよい。
【００５６】
なお、図３に示す印刷先選択画面には、「全ての機器を表示」のラジオボタンが設けられており、このボタンが操作されると、表示中の機器以外の機器であって、ネットワークに接続されているプリンタ装置等の画像形成装置を表示する。
【００５７】
そして、ホスト装置Ｈｓ１〜Ｈｓｍは、ユーザによって、文書作成ソフトウェアや図形作成ソフトウェア等のアプリケーションによって作成・編集等の行われた文書データに対してキーボードやマウス等の入力デバイスを使用して印刷指示及び上記印刷先画像形成装置Ｇｋ１〜Ｇｋｎの選択、待機許容時間の設定を含む印刷設定が行われると、ジョブ投入部１２が、ＯＳを通してプリンタドライバに文書データと印刷設定情報を渡し、プリンタドライバが、アプリケーションから受け取った文書データを、当該文書データの印刷を行う画像形成装置Ｇｋ１〜Ｇｋｎが解釈できる印刷データを作成するとともに、印刷設定情報、特に、待機許容時間を組み込んだ印刷ジョブを生成して、ネットワーク通信部１３に渡す。ネットワーク通信部１３は、ジョブ投入部１２から渡された印刷ジョブを、ネットワークＮＷを介して画像形成装置Ｇｋ１〜Ｇｋｎに送信する。
【００５８】
画像形成装置Ｇｋ１〜Ｇｋｎは、上述のようにして、下限待機許容時間、下限待機ジョブ数をＮＶＲＡＭ３４に格納している状態で、図４に示すように印刷ジョブ受信時管理処理を行う。すなわち、ジョブ管理部５１は、ネットワーク通信部５２がネットワークＮＷを介してホスト装置Ｈｓ１〜Ｈｓｍから印刷ジョブを受信すると（ステップＳ１０１）、該印刷ジョブをハードディスク３５等の蓄積部に蓄積するとともに、省電力モードであるかチェックする（ステップＳ１０２）。
【００５９】
ステップＳ１０２で、画像形成装置Ｇｋ１〜Ｇｋｎが省電力モードであると（ステップＳ１０２で、ＹＥＳのとき）、ジョブ管理部５１は、受信した印刷ジョブをハードディスク３５等に格納して、該印刷ジョブをスプールに受信順に登録する。ジョブ管理部５１は、省電力モードを継続して、該印刷ジョブを待機状態とし、印刷ジョブ受信時管理処理を終了する（ステップＳ１０３）。ただし、図示しないが、ジョブ管理部５１は、ネットワーク通信部５２が受信した印刷ジョブに付加されている待機許容時間が、ＮＶＲＡＭ３４に格納されている下限待機許容時間よりも短いと、該印刷ジョブの受付を拒否する。通常は、画像形成装置Ｇｋ１〜Ｇｋｎとホスト装置Ｈｓ１〜Ｈｓｍとの通信が積雪に行われていると、ホスト装置Ｈｓ１〜Ｈｓｍでの下限待機許容時間よりも短い待機許容時間を設定できないようになっている。ところが、何らかの情報の齟齬等で、下限待機許容時間よりも短い待機許容時間が設定された印刷ジョブが送信されてきても、ジョブ管理部５１は、その印刷ジョブの受付を拒否する。
【００６０】
ステップＳ１０２で、画像形成装置Ｇｋ１〜Ｇｋｎが通常電力モードのとき（ステップＳ１０２で、ＮＯのとき）には、ジョブ管理部５１は、受信した印刷ジョブを、順次、印刷実行部５４に送って印刷処理を行わせる（ステップＳ１０４）。
【００６１】
そして、各画像形成装置Ｇｋ１〜Ｇｋｎのジョブ管理部５１は、省電力モードにおいて、図５に示す待機印刷ジョブ管理処理を行う。すなわち、ジョブ管理部５１は、図５に示すように、所定時間間隔毎に、上記下限待機ジョブ数以上の待機中ジョブがあるかチェックする（ステップＳ２０１）。この下限待機ジョブ数は、上述のように、管理者によって適宜設定されて、ＮＶＲＡＭ３４等に格納されている。
【００６２】
ステップＳ２０１で、下限待機ジョブ数以上の待機中ジョブがないとき（ステップＳ２０１で、ＮＯのとき）には、ジョブ管理部５１は、印刷を実行することができないと判断して、そのまま待機印刷ジョブ管理処理を終了する。
【００６３】
ステップＳ２０１で、下限待機ジョブ数以上の待機中ジョブがあるとき（ステップＳ２０１で、ＹＥＳのとき）には、ジョブ管理部５１は、待機中の印刷ジョブのうち、その印刷ジョブに設定されている待機許容時間に達した印刷ジョブがあるかチェックする（ステップＳ２０２）。すなわち、ジョブ管理部５１は、例えば、印刷ジョブを受信すると、印刷ジョブ毎に、タイマをスタートさせ、ホスト装置Ｈｓ１〜Ｈｓｍにおいてその印刷ジョブに付与されている待機許容時間を計時させる。ジョブ管理部５１は、該印刷ジョブ毎のタイマが該印刷ジョブの待機許容時間を計時したか否かによって、待機許容時間に達したジョブがあるか否か判断する。
【００６４】
ステップＳ２０２で、待機許容時間に達した印刷ジョブがないとき（ステップＳ２０２で、ＮＯのとき）には、ジョブ管理部５１は、印刷を実行することができないと判断して、そのまま待機印刷ジョブ管理処理を終了する。
【００６５】
ステップＳ２０２で、待機許容時間に達した印刷ジョブがあるとき（ステップＳ２０２で、ＹＥＳのとき）には、ジョブ管理部５１は、待機中の全ての印刷ジョブを、順次、例えば、受信順あるいは待機許容時間までの時間が短い順に、印刷実行部５４に印刷させる。すなわち、ジョブ管理部５１は、待機中の印刷ジョブを一括して印刷実行部５４に印刷させて、待機印刷ジョブ管理処理を終了する（ステップＳ２０３）。
【００６６】
なお、ジョブ管理部５１は、印刷ジョブの印刷を完了すると、その旨をその印刷ジョブを送信してきたホスト装置Ｈｓ１〜Ｈｓｍに送信してもよい。
【００６７】
このようにすると、ホスト装置Ｈｓ１〜Ｈｓｍのユーザは、送信した印刷ジョブがいつ印刷されたかを確認することができる。
【００６８】
このように、本実施例の画像形成システム１は、画像形成装置Ｇｋ１〜Ｇｋｎが、印刷ジョブを保管するハードディスク（ジョブ保管手段）３５と、印刷ジョブに基づいて画像形成するプリンタエンジン（画像形成手段）２２と、プリンタエンジン２２による画像形成が可能な通常電力モードと該通常電力モードよりも消費電力の少ない省電力モードとを切り替えるＣＰＵ（電力モード切替手段）３１と、ネットワークＮＷに接続され前記省電力モードにおいても該ネットワークＮＷ上のホスト装置Ｈｓ１〜Ｈｓｍと通信を行って、画像形成されるまでの待機許容時間の付与された印刷ジョブを該ホスト装置Ｈｓ１〜Ｈｓｍから受信するネットワークＩ／Ｆ（通信手段）３６と、前記省電力モード時にネットワークＩ／Ｆ３６が印刷ジョブを受信すると、該印刷ジョブをハードディスク３５に保管し、保管されている該印刷ジョブの前記待機許容時間を判定して、該待機許容時間が経過している印刷ジョブがあると、電力モード切替手段としてのＣＰＵ３１に前記通常電力モードに切り替えさせ、ハードディスク３５の保管する全ての印刷ジョブに基づく画像形成をプリンタエンジン２２に行わせるＣＰＵ（ジョブ管理手段）３１と、を備えている。
【００６９】
したがって、ユーザが印刷ジョブで指定した待機許容時間の間省電力モードを継続して、他の印刷ジョブが待機中となるのを待って、省電力モードの間に待機中となった印刷ジョブを全てまとめて印刷処理することができる。その結果、ネットワークＮＷに接続されている画像形成装置Ｇｋ１〜Ｇｋｎにおける省電力効果を効率的に向上させることができる。
【００７０】
また、本実施例の画像形成システム１は、画像形成装置Ｇｋ１〜Ｇｋｎが、印刷ジョブをハードディスク３５に保管するジョブ保管処理ステップと、印刷ジョブに基づいて画像形成する画像形成処理ステップと、前記画像形成処理ステップでの画像形成が可能な通常電力モードと該通常電力モードよりも消費電力の少ない省電力モードとを切り替える電力モード切替処理ステップと、前記省電力モードにおいてもネットワークＮＷ上のホスト装置Ｈｓ１〜Ｈｓｍと通信を行って、画像形成されるまでの待機許容時間の付与された印刷ジョブを該ホスト装置Ｈｓ１〜Ｈｓｍから受信する通信処理ステップと、前記省電力モード時に前記通信処理ステップで印刷ジョブが受信されると、該印刷ジョブを前記ジョブ保管処理ステップにハードディスク３５へ保管させ、保管されている該印刷ジョブの前記待機許容時間を判定して、該待機許容時間が経過している印刷ジョブがあると、前記電力モード切替処理ステップで前記通常電力モードに切り替えさせ、該ハードディスク３５の保管する全ての印刷ジョブに基づく画像形成を前記画像形成処理ステップで実行させるジョブ管理処理ステップと、を有する画像形成制御方法を実行している。
【００７１】
したがって、ユーザが印刷ジョブで指定した待機許容時間の間省電力モードを継続して、他の印刷ジョブが待機中となるのを待って、省電力モードの間に待機中となった印刷ジョブを全てまとめて印刷処理することができる。その結果、ネットワークＮＷに接続されている画像形成装置Ｇｋ１〜Ｇｋｎにおける省電力効果を効率的に向上させることができる。
【００７２】
さらに、本実施例の画像形成システム１は、画像形成装置Ｇｋ１〜Ｇｋｎが、ＣＰＵ３１等の制御プロセッサに、印刷ジョブをハードディスク３５に保管するジョブ保管処理と、印刷ジョブに基づいて画像形成する画像形成処理と、前記画像形成処理での画像形成が可能な通常電力モードと該通常電力モードよりも消費電力の少ない省電力モードとを切り替える電力モード切替処理と、前記省電力モードにおいてもネットワークＮＷ上のホスト装置Ｈｓ１〜Ｈｓｍと通信を行って、画像形成されるまでの待機許容時間の付与された印刷ジョブを該ホスト装置Ｈｓ１〜Ｈｓｍから受信する通信処理と、前記省電力モード時に前記通信処理で印刷ジョブが受信されると、該印刷ジョブを前記ジョブ保管処理にハードディスク３５へ保管させ、保管されている該印刷ジョブの前記待機許容時間を判定して、該待機許容時間が経過している印刷ジョブがあると、前記電力モード切替処理で前記通常電力モードに切り替えさせ、ハードディスク３５の保管する全ての印刷ジョブに基づく画像形成を前記画像形成処理で実行させるジョブ管理処理と、を実行させる画像形成制御プログラムを搭載している。
【００７３】
したがって、ユーザが印刷ジョブで指定した待機許容時間の間省電力モードを継続して、他の印刷ジョブが待機中となるのを待って、省電力モードの間に待機中となった印刷ジョブを全てまとめて印刷処理することができる。その結果、ネットワークＮＷに接続されている画像形成装置Ｇｋ１〜Ｇｋｎにおける省電力効果を効率的に向上させることができる。
【００７４】
また、本実施例の画像形成システム１は、画像形成装置Ｇｋ１〜Ｇｋｎが、前記省電力モード時に受信して未実行の状態で待機させておくべき最小限の印刷ジョブ数を下限待機ジョブ数（待機ジョブ数）として記憶するＮＶＲＡＭ（ジョブ数記憶手段）３４を備え、ジョブ管理手段としてのＣＰＵ３１が、ハードディスク３５の保管する印刷ジョブ数が下限待機ジョブ数以上になると、前記待機許容時間を判定して、該待機許容時間が経過している印刷ジョブがあると、通常電力モードに切り替えて、ハードディスク３５の保管する全ての印刷ジョブに基づく画像形成をプリンタエンジン２２に実行させている。
【００７５】
したがって、待機許容時間だけでなく、下限待機ジョブ数に基づいて、省電力モードから通常電力モードへの復帰を制御することができ、より一層効率的に省電力効果を向上させることができる。
【００７６】
さらに、本実施例の画像形成システム１は、画像形成装置Ｇｋ１〜Ｇｋｎが、前記待機許容時間として許可する最も短い下限待機許容時間を記憶するＮＶＲＡＭ（時間記憶手段）３４を備え、ジョブ管理手段としてのＣＰＵ３１が、前記下限待機許容時間よりも短い前記待機許容時間の付与されている印刷ジョブの受付を拒否している。
【００７７】
したがって、省電力効果を向上させることのできる最低限度の下限待機許容時間を設定してＮＶＲＡＭ３４に記憶させることで、確実に省電力効果を向上させることができる。
【００７８】
また、本実施例の画像形成システム１は、画像形成装置Ｇｋ１〜Ｇｋｎのジョブ管理手段としてのＣＰＵ３１が、ネットワークＩ／Ｆ３６に前記下限待機許容時間をホスト装置Ｈｓ１〜Ｈｓｍへ送信させている。
【００７９】
また、本実施例の画像形成システム１は、画像形成装置Ｇｋ１〜Ｇｋｎが、情報を入力するオペレーションパネル（入力手段）２３を備え、前記ジョブ管理手段としてのＣＰＵ３１が、オペレーションパネル２３から前記下限待機許容時間が入力されると、該下限待機許容時間をＮＶＲＡＭ３４に記憶させる。
【００８０】
したがって、画像形成装置Ｇｋ１〜Ｇｋｎの利用状況や必要な省電力目標等に応じて入力された下限待機許容時間に基づいて省電力制御を行うことができ、利用性を向上させつつ省電力効果を向上させることができる。
【００８１】
さらに、本実施例の画像形成システム１は、画像形成装置Ｇｋ１〜Ｇｋｎが、情報を入力するオペレーションパネル（入力手段）２３を備え、前記ジョブ管理手段としてのＣＰＵ３１が、オペレーションパネル２３から画像形成装置Ｇｋ１〜Ｇｋｎにおける省電力時間目標値、省電力時間割合目標値、電力使用量目標値のうち、少なくとも１つの目標値が入力されると、該目標値に基づいて前記下限待機許容時間を算出して、ＮＶＲＡＭ３４に記憶させる。
【００８２】
したがって、管理者が意図する目標時を入力することで、該目標値に応じた下限待機許容時間を設定して省電力制御することができ、より一層利用性を向上させつつより一層省電力効果を向上させることができる。
【００８３】
また、本実施例の画像形成システム１は、画像形成装置Ｇｋ１〜Ｇｋｎのジョブ管理手段としてのＣＰＵ３１が、ネットワークＩ／Ｆ（通信手段）３６に、電力モード、待機中の印刷ジョブ数及び印刷ジョブの画像形成が完了した旨の通知を、ホスト装置Ｈｓ１〜Ｈｓｍへ送信させている。
【００８４】
したがって、ホスト装置Ｈｓ１〜Ｈｓｍにおいて、これらの電力モード、待機中の印刷ジョブ数の情報に基づいて待機許容時間を設定したり、印刷先の画像形成装置Ｇｋ１〜Ｇｋｎを選択することができ。また、要求した印刷ジョブが完了したことを完了通知によって知ることができ、利用性を向上させつつ、画像形成装置Ｇｋ１〜Ｇｋｎにおける消費電力を効率的に削減することができる。
【００８５】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００８６】
１  画像形成システム
ＮＷ  ネットワーク
Ｇｋ１〜Ｇｋｎ  画像形成装置
Ｈｓ１〜Ｈｓｍ  ホスト装置
１１  ディスプレイ
１２  ジョブ投入部
１３  ネットワーク通信部
２１  コントローラ
２２  プリンタエンジン
２３  オペレーションパネル
２４  外部記憶装置
３１  ＣＰＵ
３２  プログラムＲＯＭ
３３  ＲＡＭ
３４  ＮＶＲＡＭ
３５  ハードディスク（ＨＤＤ）
３６  ネットワークＩ／Ｆ
３７  エンジンＩ／Ｆ
３８  パネルＩ／Ｆ
３９  外部Ｉ／Ｆ
４０  バス
５１  ジョブ管理部
５２  ネットワーク通信部
５３  操作パネル部
５４  印刷実行部
【先行技術文献】
【特許文献】
【００８７】
【特許文献１】特開２００６−３３４９３１号公報
【図１】
2014151485.tif 000003
【図２】
2014151485.tif 000004
【図３】
2014151485.tif 000005
【図４】
2014151485.tif 000006
【図５】
2014151485.tif 000007